(57)【特許請求の範囲】
【請求項１】
バーナー部以外のトッププレートが平面状に仕上げられたガスコンロの前記トッププレートのバーナー周辺部を覆い、該トッププレートと五徳との間に敷設されるガスコンロ用マットであって、中央に前記バーナーのリングプレートの外周よりも若干大きく形成された開口部を有し、金属箔により形成されたリング状の枠体により構成され、前記枠体の外周縁部および内周縁部は縁巻きにより上面側に突出して設けられ、前記枠体の外周縁部と内周縁部との間が平坦部で形成されていることを特徴とするガスコンロ用マット。
【請求項２】
前記平坦部には、前記五徳の脚部下面を係合可能な凹部が配置されていることを特徴とする請求項１記載のガスコンロ用マット。
【請求項３】
前記凹部は、円周方向に等間隔に複数配置されていることを特徴とする請求項２記載のガスコンロ用マット。
【請求項４】
前記枠体の表面全面に連続模様のエンボス加工が施されていることを特徴とする請求項１から３のいずれか一項に記載のガスコンロ用マット。
【発明の詳細な説明】
【技術分野】
【０００１】
本発明は、ガスコンロのトッププレートの上に敷設するガスコンロ用マットに関し、特にバーナー部以外のトッププレートが平面状に仕上げられたガスコンロに用いられるものに関する。
【背景技術】
【０００２】
ガスコンロ上の調理器から噴き零れる煮汁等によって、トッププレートが汚れることを防止するために、トッププレートを直接覆うマットを敷設することが行われている。
また、近年では、トッププレートの汚れを掃除する際の利便性や、作業スペースを広く確保するために、バーナー部以外を平面状に仕上げたトッププレートを有するガスコンロが提案されており、これに対応すべく種々のガスコンロ用マットが考えられている。
例えば、特許文献１及び特許文献２には、トッププレートの全面を覆う大きさのマットに、複数個設けられたバーナー位置に対応する開口部が複数形成されたものが開示されている。
【先行技術文献】
【特許文献】
【０００３】
【特許文献１】特開２００６−３３６８７６号公報
【特許文献２】特開２００８−２８６５１７号公報
【発明の概要】
【発明が解決しようとする課題】
【０００４】
特許文献１及び特許文献２のガスコンロ用マットによれば、トッププレートの全面を汚れからカバーすることができる。
しかしながら、ガスコンロに設けられる複数あるバーナーのうち、使用頻度の偏りなどにより特定のバーナー周辺のみ汚れ易くなる場合があり、この場合、その１箇所のバーナー周辺部の汚れの蓄積により、全面を覆うガスコンロ用マットを交換する必要があり、不経済である。また、トッププレートが平面状に設けられたガスコンロにおいては、個々のバーナー周辺部の汚れに対応する適切なガスコンロ用マットがなかった。
【０００５】
本発明は、このような事情に鑑みてなされたものであり、平面状に仕上げられたトッププレート上にバーナーが設けられたガスコンロにおいて、個々のバーナー周辺部での使用に適し、バーナー周辺部が汚れることを防止できるガスコンロ用マットを提供することを目的とする。
【課題を解決するための手段】
【０００６】
本発明は、バーナー部以外のトッププレートが平面状に仕上げられたガスコンロの前記トッププレートのバーナー周辺部を覆い、該トッププレートと五徳との間に敷設されるガスコンロ用マットであって、中央に前記バーナーのリングプレートの外周よりも若干大きく形成された開口部を有し、金属箔により形成されたリング状の枠体により構成され、前記枠体の外周縁部および内周縁部は縁巻きにより上面側に突出して設けられ、前記枠体の外周縁部と内周縁部との間が平坦部で形成されていることを特徴とする。
【０００７】
バーナー周辺部を覆うことで、ガスコンロ上の調理器から噴き零れる煮汁等が、バーナー周辺部を直接汚すことを防止できるとともに、枠体の上面側に突出して設けられた外周縁部と内周縁部とにより、煮汁等がガスコンロ用マットから溢れ出て、トッププレートを汚すことが防止できる。また、外周縁部及び内周縁部は縁巻きされているので、交換時につかみ易い上に、交換作業中に外周縁部又は内周縁部に手が触れた際に、手を切る危険がない。さらに、縁巻きを施すことにより、ガスコンロ用マット全体の剛性を高めることができ、使用時の反り等を防止することができる。
【０００８】
本発明のガスコンロ用マットにおいて、前記平坦部には、前記五徳の脚部下面を係合可能な凹部が配置されているとよい。
平坦部に設けた凹部を、トッププレートの上面と五徳の脚部とで挟んだ状態で取り付けることにより、ガスコンロ用マットを安定して載置させておくことができる。また、平坦部に凹部を設けることによっても、ガスコンロ用マット全体の剛性をさらに高めることができる。
なお、前記凹部は、円周方向に等間隔に複数配置されることが好ましい。
五徳の脚部下面と係合する凹部を複数箇所設けることで、ガスコンロ用マットを載置した際の安定度を増すことができる。
【０００９】
本発明のガスコンロ用マットにおいて、前記枠体の表面全面に連続模様のエンボス加工が施されているとよい。
枠体の表面全体にエンボス加工を施すことにより、剛性を高めて使用時の反り等を防止できるとともに、その表面の光沢を抑えて外観を向上させることができる。
【発明の効果】
【００１０】
本発明によれば、平面状に仕上げられたトッププレート上にバーナーが設けられたガスコンロにおいて、個々のバーナー周辺部での使用に適し、バーナー周辺部が汚れることを防止できるガスコンロ用マットを提供することができる。
【図面の簡単な説明】
【００１１】
【図１】本発明の実施形態のガスコンロ用マットの平面図である。
【図２】図１に示すガスコンロ用マットのＡ−Ａ断面図である。
【図３】本実施形態のガスコンロ用マットの使用状態を示した概略斜視図である。
【図４】図３のガスコンロ用マットの使用状態を示す断面図である。
【図５】本発明のガスコンロ用マットのその他の実施形態を示す平面図である。
【図６】本発明のガスコンロ用マットのさらに別の実施形態を示す平面図である。
【発明を実施するための形態】
【００１２】
以下、本発明のガスコンロ用マットの一実施形態について、図面を参照して説明する。
本実施形態のガスコンロ用マット１は、図３及び図４に示すように、ガスコンロ２のトッププレート３のバーナー４周辺部を覆い、バーナー４の配置毎に１枚ずつトッププレート３と五徳５との間に敷設されて使用されるものである。
ガスコンロ用マット１は、図１及び図４に示すように、中央にバーナー４に対応した開口部１１を有するリング状の枠体１２により構成される。このガスコンロ用マット１を構成する枠体１２は、アルミニウム箔等の金属箔により形成されており、その表面全体に連続模様のエンボス加工が施されている。
エンボスの模様は、特に限定されず、例えば、絹目、布目、波目、梨地、格子、円形、三角形、四角形、多角形等の模様が挙げられる。なお、本実施形態のガスコンロ用マット１を構成する枠体１２は、厚さ４０μｍのアルミニウム箔に６０メッシュで絹目状のエンボス加工が施されたものである。
【００１３】
また、枠体１２の外周縁部１３および内周縁部１４は、図１及び図２に示すように、その全周がアルミニウム箔の端部を内側に巻き込んで丸めた縁巻きにより上面側に突出して設けられている。また、これら外周縁部１３と内周縁部１４との間の平坦部１５には、五徳５の脚部５１下面を係合可能な半径方向に沿う複数の凹部１６が円周方向に等間隔に（放射状に）形成されている。この場合、凹部１６は、枠体１２を１２等分するように１２箇所配置されている。
【００１４】
次に、このように構成されたガスコンロ用マット１の使用状態を説明する。
ガスコンロ用マット１が使用されるガスコンロ２の上面は、例えば、ガラス又はアルミニウム等の金属の平板で構成されたトッププレート３とされ、このトッププレート３上に設けられたバーナー４は、その中央に配置されるバーナー部６と、トッププレート３に取り付けられるリングプレート７と、リングプレート７に対して着脱自在に取り付けられる五徳５とから構成されている。
五徳５は、バーナー４を囲むように配置され、調理器等が載置される複数の脚部５１と、各脚部５１を連結する五徳枠５２とで構成される。本実施形態では、五徳５は、６本の脚部５１を備える。
【００１５】
ガスコンロ用マット１の使用時にあっては、まずガスコンロ２の五徳５を取り外した状態で、トッププレート３上にガスコンロ用マット１を設置する。このとき、ガスコンロ用マット１は、縁巻きにより突出して設けられた外周縁部１３及び内周縁部１４を上面側にして配置する。ガスコンロ用マット１に形成された開口部１１は、バーナー４のリングプレート７の外周よりも若干大きく形成されており、ガスコンロ用マット１は、バーナー４の周囲を覆って配置される。そして、このガスコンロ用マット１の配置後、五徳５を配置することにより設置が完了する。この際、五徳５は、その６本の脚部５１の下面を、ガスコンロ用マット１の平坦部１５に設けた凹部１６に係合させて配置することにより、ガスコンロ用マット１をバーナー４の周辺部に固定する。
【００１６】
このように、本実施形態のガスコンロ用マット１は、バーナー４の周辺部を覆い、バーナー４の配置毎に１枚ずつトッププレート３と五徳５との間に敷設されて使用される。
ガスコンロ２上の調理器から煮汁等が噴き零れた場合は、ガスコンロ用マット１上に落ちるが、ガスコンロ用マット１の縁巻きされた外周縁部１３及び内周縁部１４で塞き止められるので、ガスコンロ用マット１の外側に溢れ出ることを防止できる。
そして、ガスコンロに設けられる複数あるバーナーのうち、使用頻度の偏りなどにより特定のバーナー周辺のみ汚れ易くなる場合があるが、ガスコンロ用マット１の表面が汚れた場合には、その汚れを拭き取る、あるいはガスコンロ用マット１自体を新しいものと取り替えることによって、それぞれバーナーの汚れの状況に応じて個別に対応することができる。
【００１７】
また、本実施形態では、ガスコンロ用マット１の素材として金属箔を用いているが、外周縁部１３及び内周縁部１４は縁巻きが施されているので、交換作業中に外周縁部１３又は内周縁部１４に手が触れた際に手を切る危険がない上に、交換時につかみ易くなり、作業性の向上を図ることができる。さらに、縁巻きを施すことにより、ガスコンロ用マット１全体の剛性を高めることができ、使用時の反り等を防止することができる。
【００１８】
また、上述したように、ガスコンロ用マット１の平坦部１５に設けた凹部１６を、五徳５の脚部５１の下面と係合させ、トッププレート３と五徳５の脚部５１とで挟んだ状態で取り付けることにより、ガスコンロ用マット１を、バーナー４の周辺部に安定して載置させておくことができる。
なお、ガスコンロ用マット１を安定して載置させておくには、凹部１６は、五徳５のいずれかの脚部５１の下面に係合可能なように、少なくとも１箇所形成しておけば事足りるが、本実施形態のように、五徳５の脚部５１の全てに係合可能な複数の凹部１６を設けた場合には、ガスコンロ用マットを載置した際の安定度を増すことができる。
そして、ガスコンロ用マット１は、このように平坦部１５に設けられた凹部１６によっても、全体の剛性が高められている。
また、ガスコンロ用マット１を構成する枠体１２の表面全体にエンボス加工を施すことにより、金属箔の剛性を高めることができ、使用時の反り等を防止することができる。そのため、汚れを拭取りながら繰返し使用しても変形が小さく、長期使用に耐えることができる。また、枠体１２の表面全体に施したエンボス加工により、表面の光沢を抑えて外観を向上させることができる。
【００１９】
以上のように、本発明によれば、平面状に仕上げられたトッププレート上にバーナーが設けられたガスコンロにおいて、個々のバーナー周辺部での使用に適し、バーナー周辺部が汚れることを防止できるガスコンロ用マットを提供することができる。
【００２０】
なお、本発明は前記実施形態の構成のものに限定されるものではなく、細部構成においては、本発明の趣旨を逸脱しない範囲において種々の変更を加えることが可能である。
例えば、上記実施形態においては、ガスコンロ用マットの枠体の外周形状は円形に形成したが、矩形状や多角形等の形状で構成してもよい。
また、上記実施形態おいては、ガスコンロ用マットの平坦部の凹部を、円周方向に等間隔に配置したが、必ずしも等間隔に配置する必要はない。図５に示すガスコンロ用マット１Ａのように、使用する五徳の脚部の間隔に合わせて、凹部の間隔を異ならせて配置してもよい。
また、凹部の形状は、放射状の形状に限定されるものではない。例えば、図６に示すガスコンロ用マット１Ｂのように、五徳の脚部下面に対応する位置だけを点状に窪ませた凹部１６ｂとしてもよい。
【符号の説明】
【００２１】
１，１Ａ，１Ｂ  ガスコンロ用マット
２  ガスコンロ
３  トッププレート
４  バーナー
５  五徳
６  バーナー部
７  リングプレート
１１  開口部
１２  枠体
１３  外側縁部
１４  内側縁部
１５  平坦部
１６，１６ｂ  凹部
５１  脚部
５２  五徳枠
【図１】
0005829071.tif 000002
【図２】
0005829071.tif 000003
【図３】
0005829071.tif 000004
【図４】
0005829071.tif 000005
【図５】
0005829071.tif 000006
【図６】
0005829071.tif 000007